(57)【要約】【課題】一台の加熱蒸散器によって殺虫効果とマイナスイオン効果が得られるようにする。【解決手段】蒸散器本体３に、液体容器３１の吸液芯２１を加熱する発熱体ユニット１３と、マイナスイオン発生電極２０を備えたマイナスイオン発生装置１５と、前記発熱体ユニット１３及びマイナスイオン発生装置１５の電源用となる電源プラグ付きコード２５とを有する構造とし、前記発熱体ユニット１３によって加熱された吸液芯２１からの薬液３５及びマイナスイオン発生電極２０からのマイナスイオンとを蒸散口１１から外へ放出する。【選択図】      図１
2004180649.tif 000002
【特許請求の範囲】
【請求項１】
蒸散器本体に、内部の薬液を吸上げる吸液芯を備えた着脱可能な液体容器と、前記液体容器の吸液芯を加熱する発熱体ユニットと、マイナスイオンが発生するマイナスイオン発生電極を備えたマイナスイオン発生装置と、前記発熱体ユニットによって加熱された吸液芯からの薬液及び前記マイナスイオン発生電極からのマイナスイオンとを蒸散器本体の外へ放出する蒸散口と、前記発熱体ユニット及び前記マイナスイオン発生装置の電源用となる電源プラグ付きコードとを有していることを特徴とする加熱蒸散器。
【請求項２】
蒸散器本体は、発熱体ユニット又はマイナスイオン発生装置とをそれぞれ独立してオン・オフに作動制御する選択手段を備えていることを特徴とする請求項１記載の加熱蒸散器。
【請求項３】
選択手段は、発熱体ユニットとマイナスイオン発生装置とを一緒にオン・オフに作動制御する制御機能を備えていることを特徴とする請求項１或いは、２記載の加熱蒸散器。
【発明の詳細な説明】
【０００１】
【発明の属する技術分野】
この発明は、殺虫効果に加えてマイナスイオン効果が得られる加熱蒸散器に関する。
【０００２】
【従来の技術】
加熱蒸散器は、内部にヒータ等の放熱リングが設けられた蒸散器本体に、内部の薬液を吸い上げる吸液芯を備えた液体容器がセットされた構造となっていて、前記吸液芯が放熱リングによって加熱されることで、薬液の気化・蒸散が促進され、気化した薬液は蒸散器本体の上方に設けられた蒸散口から外へ拡散する構造となっている（特許文献１）。
【０００３】
【特許文献１】
特開平８−１４８号公報
【０００４】
【発明が解決しようとする課題】
加熱蒸散器は、薬液を吸い上げる吸液芯を放熱リングによって加熱することで、薬液の気化・蒸散を促す。
【０００５】
したがって、薬液が例えば蚊を殺す殺虫剤の場合には、薬液が迅速に拡散されるため、広い部屋であっても高い殺虫効果が得られる反面、加熱蒸散器は殺虫効果のみの単一機能となっていた。
【０００６】
そこで、この発明にあっては一つの機器で殺虫効果が得られることは無論として、健康面においても大変好ましい加熱蒸散器を提供することを目的としている。
【０００７】
【課題を解決するための手段】
前記目的を達成するために、この発明にあっては、蒸散器本体に、内部の薬液を吸上げる吸液芯を備えた着脱可能な液体容器と、前記液体容器の吸液芯を加熱する発熱体ユニットと、マイナスイオンが発生するマイナスイオン発生電極を備えたマイナスイオン発生装置と、前記発熱体ユニットによって加熱された吸液芯からの薬液及び前記マイナスイオン発生電極からのマイナスイオンとを蒸散器本体の外へ放出する蒸散口と、前記発熱体ユニット及び前記マイナスイオン発生装置の電源用となる電源プラグ付きコードとを有していることを特徴とする。
【０００８】
これにより、電源プラグ付きコードのプラグを、コンセントに差し込むことで電源が入り使用可能となる。この時、吸液芯は発熱体ユニットにより加熱されると共に、吸液芯によって吸上げられた薬液は気化・蒸散が促され、蒸散口から外へ拡散される。同様にマイナスイオン発生電極からのマイナスイオンも蒸散口から外へ放出されるため、一つの機器で殺虫効果に加えて健康に良いとされるマイナスイオン効果も併せて得られるようになる。
【０００９】
【発明の実施の形態】
以下、図１乃至図３に基づきこの発明の実施の形態について具体的に説明する。
【００１０】
図１はこの発明にかかる加熱蒸散器１の概要断面図を示している。加熱蒸散器１の蒸散器本体３は、合成樹脂の材質で作られていて、下から順に下部ケース５、主体ケース７、上部ケース９からなり、下部ケース５から上部ケース９へ向かって順次径が小さくなるよう傾斜する形状に作られている。
【００１１】
上部ケース９は、主体ケース７の上端部外周面に装着支持され、天井部中央部位には上下に貫通する蒸散口１１が設けられている。
【００１２】
主体ケース７は、上部中央部位に発熱体ユニット１３が、内部空間にマイナスイオン発生装置１５がそれぞれ設けられる一方、図３に示すように両サイドには外気取入口１６が設けられている。
【００１３】
発熱体ユニット１３は、絶縁材によって取囲まれた加熱制御部１７と放熱リング１９とから成っている。放熱リング１９はリング状に形成されたＰＴＣヒータとなっていて、前記蒸散口１１の中心軸線Ｘ上に配置されると共に、前記加熱制御部１７により設定された温度に制御管理されるようになっている。
【００１４】
マイナスイオン発生装置１５は、電子放射式となるマイナスイオン発生電極２０を有している。この場合、マイナスイオン発生電極２０はコロナ放電式のタイプであっても可能である。マイナスイオン発生電極２０は、主体ケース７の内部空間に配置された装置本体１５ａから主体ケース７の上部壁を貫通し上部ケース９内において後述する吸液芯２１の先端より低い位置に配置されている。
【００１５】
発熱体ユニット１３及びマイナスイオン発生装置１５は、選択手段となる制御部２３を介して電源用となる電源プラグ付きコード２５と電気的に接続連通し、電源プラグ付きコード２５のプラグ２７は図外のコンセントに差し込むことが可能となっている。
【００１６】
制御部２３は、図２に示すように第１、第２、第３操作スイッチＳ１、Ｓ２、Ｓ３を有し、第１操作スイッチＳ１は、発熱体ユニット１３のみをオン又はオフとする発熱体用の制御スイッチとなっていて、オンの時にパイロットランプＰ１が点燈するようになっている。
【００１７】
第２操作スイッチＳ２は、マイナスイオン発生装置１５のみをオン又はオフとするマイナスイオン発生装置用の制御スイッチとなっていて、オンの時にパイロットランプＰ２が点燈するようになっている。
【００１８】
第３操作スイッチＳ３は、発熱体ユニット１３とマイナスイオン発生装置１５を一緒にオン又はオフとする制御スイッチとなっていて、オンの時にパイロットランプＰ３が点燈するようになっている。
【００１９】
第１、第２、第３操作スイッチＳ１、Ｓ２、Ｓ３は電源プラグ付きコード２５のプラグ２７を図外のコンセントに差し込んだ状態において、各操作スイッチＳ１、Ｓ２、Ｓ３をそれぞれ操作することで、発熱体ユニット１３及びマイナスイオン発生装置１５とを同時に、あるいは、それぞれ独立して使用することが可能となっている。
【００２０】
下部ケース５は、設置するためのベース部材となっていて、支脚部２９を有し、内部は液体容器３１を着脱自在に装着セットするための収容空間３３となっている。
【００２１】
液体容器３１は内部の薬液３５、例えば蚊を殺す殺虫剤を吸い上げる上下に長い棒状の吸液芯２１を備え、吸液芯２１は熱に強い材質で作られている。
【００２２】
液体容器３１の吸液芯２１は、販売時においてキャップ取付部３７に装着されたキャップ（図示していない）によりカバーされている。なお、キャップは下部ケース５の収容空間３３内に装着する時に取外して使用される。
【００２３】
キャップ取付部３７は、外周が雄ねじ部となっていて、下部ケース５に設けられた取付部３７の雌ねじ部に螺合させることで着脱自在に装着支持されるようになっている。
【００２４】
装着完了時の吸液芯２１は、放熱リング１９を貫通して上部に突出している。吸液芯２１の突出量は、前記マイナスイオン発生電極２０の先端より高い位置となるよう設定され、蒸散口１１から誤って指が挿入された時に、高電圧のマイナスイオン発生電極２０に直接触れないようになっている。
【００２５】
このように構成された加熱蒸散器１によれば、電源プラグ付きコード２５のプラグ２７を図外のコンセントに差し込むことで電源が確保されるから、例えば、第１操作スイッチＳ１を操作すると発熱体ユニット１３はオンとなり、その放熱リング１９によって吸液芯２１には熱が与えられる。熱が与えられた薬液３５は気化・蒸散が促され、蒸散口１１から外へ拡散し蚊取り用の殺虫器として使用することが可能となる。
【００２６】
次に、第２操作スイッチＳ２を操作するとマイナスイオン発生装置１５がオンとなりマイナスイオン発生電極２０から健康に良いとされるマイナスイオンが発生する。マイナスイオンは、蒸散口１１から部屋内に放出され加熱蒸散器１をマイナスイオン発生装置として独立して使用することが可能となる。
【００２７】
従って、今までは蚊の発生する夏の間だけ使用し、その他の期間では使用しなかった加熱蒸散器を一年中を通して使用することができる様になるという効果を有する。
【００２８】
また、マイナスイオンは発生器から放出された後、徐々に消滅してしまうため、部屋のコンセントに差し込んで使用するタイプにあっては、使用者のいる所にマイナスイオンが届きにくいという問題が生じるが、本発明の加熱蒸散器にあっては、加熱蒸散器自体をコードの長さ分だけ自由に動かせるため使用者の近くで使用することが可能となり、使用者に充分なマイナスイオンを供給できる。
【００２９】
次に、第３操作スイッチＳ３を操作すると、発熱体ユニット１３及びマイナスイオン発生装置１５がオンとなり、吸液芯２１の薬液３５は気化・蒸散が促され、蒸散口１１から外へ拡散する。一方、マイナスイオン発生電極２０からのマイナスイオンは蒸散口１１から外へ放出され、加熱蒸散器１を、蚊取り用の殺虫器として、また、マイナスイオン発生装置として同時に使用することが可能となる。
【００３０】
尚、本発明は上記実施例に限定されるものではなく、操作スイッチがなくて、常にマイナスイオンの発生と薬剤の散布を同時に行ったり、ＰＴＣヒータが断電している時にマイナスイオン発生器に自動的に通電する等、マイナスイオンの発生と薬剤の散布のタイミングは様々なケースでも応用できる。
【００３１】
又、１つの操作スイッチを押すことで、マイナスイオンの発生とＰＴＣヒータへの通電を切り換えるものであっても良い等、操作スイッチの数と機能に限定されるものでもない。
【００３２】
【発明の効果】
以上、説明したようにこの発明の加熱蒸散器によれば、１台の加熱蒸散器によって、蚊取り用の殺虫器として、あるいは同時にマイナスイオンを発生させるマイナスイオン発生装置として使用することができる。
【図面の簡単な説明】
【図１】この発明にかかる加熱蒸散器の概要切断面図。
【図２】加熱蒸散器の概要斜視図。
【図３】加熱蒸散器の概要平面図。
【符号の説明】
１  加熱蒸散器
３  蒸散器本体
１１  蒸散口
１３  発熱体ユニット
１５  マイナスイオン発生装置
１９  放熱リング
２０  マイナスイオン発生電極
２３  制御部（選択手段）
２５  電源プラグ付きコード
３１  液体容器
３５  薬液
【図１】
2004180649.tif 000003
【図２】
2004180649.tif 000004
【図３】
2004180649.tif 000005